(57)【特許請求の範囲】
【請求項１】
交換機で生成された発信側端末の種別を示す着信音種別情報をＶ５インタフェースのＰＳＴＮプロトコルに規定された着信信号メッセージに付加する工程と、
該工程で着信音種別情報が付加された前記着信信号メッセージをＶ５インタフェースで接続された端末側装置へ転送する工程と、
該工程で前記端末側装置に転送された前記着信信号メッセージから着信音種別情報を取り出し、該着信音種別情報に基づいて着信信号を生成して着信側端末へ出力する工程とを含むことを特徴とする着信音種別情報転送方法。
【請求項２】
交換機で生成された発信側端末の種別を示す着信音種別情報をＶ５インタフェースのＰＳＴＮプロトコルに規定される確立メッセージに付加する工程と、
該工程で着信音種別情報が付加された前記確立メッセージをＶ５インタフェースで接続された端末側装置へ転送する工程と、
該工程で前記端末側装置に転送された前記確立メッセージから着信音種別情報を取り出し、該着信音種別情報に基づいて着信信号を生成して着信側端末へ出力する工程とを含むことを特徴とする着信音種別情報転送方法。
【請求項３】
交換機で生成された発信側端末の種別を示す着信音種別情報をＶ５インタフェースのＰＳＴＮプロトコルに規定される着信信号メッセージに付加する付加手段と、
該付加手段により着信音種別情報が付加された前記着信信号メッセージをＶ５インタフェースで接続された端末側装置へ転送する転送手段とを含み、
前記端末側装置は前記転送手段により転送された前記着信信号メッセージから着信音種別情報を取り出し、該着信音種別情報に基づいて着信信号を生成して着信側端末へ出力することを特徴とする加入者系システム。
【請求項４】
交換機で生成された発信側端末の種別を示す着信音種別情報をＶ５インタフェースのＰＳＴＮプロトコルに規定される確立メッセージに付加する付加手段と、
該付加手段により着信音種別情報が付加された前記確立メッセージをＶ５インタフェースで接続された端末側装置へ転送する転送手段とを含み、
前記端末側装置は前記転送手段により転送された前記確立メッセージから着信音種別情報を取り出し、該着信音種別情報に基づいて着信信号を生成して着信側端末へ出力することを特徴とする加入者系システム。
【発明の詳細な説明】
【０００１】
【発明の属する技術分野】
本発明は、交換機で生成された発信側端末の種別を示す着信音種別情報を着信側端末を収容する遠隔地の着信側装置に転送する着信音種別情報転送方法およびその方法を用いた加入者系システムに関するものである。
【０００２】
【従来の技術】
構内交換機は、端末に色々なサービスを提供しているが、そのサービスの一つに、着信側端末に着信音により発信側端末の種別（内線、外線、転送）を識別できる着信信号（呼出信号）を供給する着信音識別サービスがある。
【０００３】
【発明が解決しようとする課題】
しかしながら、従来の着信音識別サービスは、構内交換機に直接収容されている端末に対して提供されていたが、遠隔地にあって多重伝送路等を介して収容されている端末、たとえば、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）  の勧告Ｇ．９６４／Ｇ．９６５  によるＶ５インタフェースで接続されている端末には提供されていなかった。また、上述の勧告には、着信音識別に関する記述はなかった。このため、遠隔地に在るこのような端末は、着信音識別サービスを受けることができないという問題点があった。
【０００４】
本発明はこのような従来技術の問題点を解消し、交換機とＶ５インタフェースで接続された遠隔地の端末に対する着信音識別サービスを実現する着信音種別情報転送方法およびその方法を用いた加入者系システムを提供することを目的とする。
【０００５】
【課題を解決するための手段】
本発明は上述の課題を解決するために、交換機で生成された発信側端末の種別を示す着信音種別情報をＶ５インタフェースのＰＳＴＮプロトコルに規定された種別信号メッセージに付加する工程と、この工程で着信音種別情報が付加された着信信号メッセージをＶ５インタフェースで接続された端末側装置へ転送する工程と、この工程で端末側装置に転送された着信信号メッセージから着信音種別情報を取り出し、この着信音種別情報に基づいて着信信号を生成して着信側端末へ出力する工程とを含むことを特徴とする。
【０００６】
また、本発明は、交換機で生成された発信側端末の種別を示す着信音種別情報をＶ５インタフェースのＰＳＴＮプロトコルに規定される確立メッセージに付加する工程と、この工程で着信音種別情報が付加された確立メッセージをＶ５インタフェースで接続された端末側装置へ転送する工程と、この工程で端末側装置に転送された確立メッセージから着信音種別情報を取り出し、この着信音種別情報に基づいて着信信号を生成して着信側端末へ出力する工程とを含むことを特徴とする。
【０００７】
また、本発明は、交換機で生成された発信側端末の種別を示す着信音種別情報をＶ５インタフェースのＰＳＴＮプロトコルに規定される着信信号メッセージに付加する付加手段と、この付加手段により着信音種別情報が付加された着信信号メッセージをＶ５インタフェースで接続された端末側装置へ転送する転送手段とを含み、この端末側装置は転送手段により転送された着信信号メッセージから着信音種別情報を取り出し、この着信音種別情報に基づいて着信信号を生成して着信側端末へ出力することを特徴とする。
【０００８】
さらに、本発明は、交換機で生成された発信側端末の種別を示す着信音種別情報をＶ５インタフェースのＰＳＴＮプロトコルに規定される確立メッセージに付加する付加手段と、この付加手段により着信音種別情報が付加された確立メッセージをＶ５インタフェースで接続された端末側装置へ転送する転送手段とを含み、この端末側装置は転送手段により転送された確立メッセージから着信音種別情報を取り出し、この着信音種別情報に基づいて着信信号を生成して着信側端末へ出力することを特徴とする。
【０００９】
【発明の実施の形態】
次に添付図面を参照して本発明の実施例を詳細に説明する。
【００１０】
図１は、本発明による着信音種別情報転送方法が適用された加入者系システムの一例を示す構成図である。なお、図１では、本発明に関係がある信号処理系のみを示し、通話系等は省略してある。図１において、構内交換機１０と遠隔地にある端末側装置１４とは伝送路１２で接続され、構内交換機１０は、この伝送路１２および端末側装置１４を介して端末１６、１８の呼の状態を管理する。ここで、構内交換機１０は、呼を制御する呼制御部２０と、呼制御部２０からの情報を時分割多重化して伝送路１２へ送出すると共に伝送路１２からの時分割多重化された情報を分離して呼制御部２０へ送出するＰＳＴＮシグナリング部２２とを有する。なお、構内交換機１０は、局用交換機であってもよい。
【００１１】
端末側装置１４は、呼制御部２０からの情報に基づいて端末１６、１８をそれぞれ制御するアナログポート２６、２８と、アナログポート２６、２８からの情報を時分割多重化して伝送路１２へ送出すると共に伝送路１２からの時分割多重化された情報を分離してアナログポート２６、２８へ送出するＰＳＴＮシグナリング部２４と、アナログポート２６、２８の指示に従って端末１６、１８へ所定の着信信号を供給する音源部３０とを有している。なお、端末側装置１４は、端末１６、１８以外の端末を収容することができる。
【００１２】
ＰＳＴＮシグナリング部２２、伝送路１２、およびＰＳＴＮシグナリング部２４は、呼制御部２０とアナログポート２６、２８との間で発呼、切断、ダイヤル等のアナログ回線信号情報を透過的に転送する信号パスを構成しており、本実施例では、ＩＴＵ−Ｔ  の勧告Ｇ．９６５  によるＶ５．２インタフェースのＰＳＴＮ（Ｐｕｂｌｉｃ  Ｓｗｉｔｃｈｅｄ  Ｔｅｌｅｐｈｏｎｅ  Ｎｅｔｗｏｒｋ）  プロトコルに適合する。ＰＳＴＮシグナリング部２２、２４は、この信号パスを管理し、３２個のタイムスロットで構成されるフレームの１タイムスロットに信号パスを割り当て、各端末の信号情報を時分割多重化して転送する。これにより、呼制御部２０は、端末側装置１４に収容される各端末の呼の状態を管理することができる。なお、上述のパスは、ＩＴＵ−Ｔ  の勧告Ｇ．９６４  によるＶ５．１インタフェースに適合するものであってもよい。
【００１３】
また、上述の信号パスにより信号情報等を転送するメッセージ（レイヤ３）は、Ｖ５．２インタフェースのＰＳＴＮプロトコルに従って構成される。図２は、着信信号（呼出信号）を転送する着信信号（Ｃａｄｅｎｃｅｄ−ｒｉｎｇｉｎｇ）メッセージの構成を示している。図２において、プロトコル識別子２００  は、メッセージがＶ５．２インタフェースによるメッセージであることを示し、レイヤ３アドレス２０２  は、信号情報転送先のアドレス、たとえば、アナログポート２６、２８のアドレスを示し、メッセージ種別２０４  は、メッセージが信号情報等を転送する信号メッセージであることを示している。
【００１４】
また、情報要素２０６  は、信号情報の紛失の有無を判断するためのシーケンス番号に関する情報であり、情報要素２０８  は、着信信号に関する情報である。情報要素２０８  は、情報要素が着信信号に関するものであることを示す情報要素識別子と、情報要素の長さを示す情報要素長と、タイプ（ｔｙｐｅ）を含む部分から構成されている。ＩＴＵ−Ｔ  勧告では、このタイプに設定すべき情報については何ら記載がない。そこで、本実施例では、このタイプに送信側端末の種別を示す着信音種別情報を設定して構内交換機１０から端末側装置１４へ転送し、端末側装置１４に収容されている端末に着信音識別サービスを提供している。
【００１５】
次ぎに図１に示す加入者系システムの動作について説明する。
【００１６】
構内交換機１０の呼制御部２０は、図示しない端末（発信側端末）からの発呼を検出するとその発信側端末の種別（内線、外線、転送）を分析し、その種別に対応して予め定められている着信音種別情報を生成する。そして、たとえば、端末１６のダイヤル情報を受信すると、そのダイヤル情報と着信音種別情報をＰＳＴＮシグナリング部２２へ出力する。ＰＳＴＮシグナリング部２２は、呼制御部２０からダイヤル情報と着信音種別情報を受信すると、Ｖ５．２インタフェースに規定されている形式の確立（ＥＳＴＡＢＬＩＳＨ）  メッセージを生成する。
【００１７】
図３は、このＥＳＴＡＢＬＩＳＨ  メッセージの構成を示す。図３において、プロトコル識別子３００  は、勧告Ｇ．９６５  に従ったメッセージであることを示し、レイヤ３アドレス３０２  は、端末１６が収容されているアナログポート２６のアドレスを示し、メッセージ種別３０４  は、転送される信号情報がＥＳＴＡＢＬＩＳＨ  情報であることを示している。なお、アナログポート２６のアドレスは、端末１６に対するダイヤル情報により定められる。ＰＳＴＮシグナリング部２２は、生成したＥＳＴＡＢＬＩＳＨ  メッセージを伝送路１２を介して端末側装置１４のＰＳＴＮシグナリング部２４へ転送する。
【００１８】
ＰＳＴＮシグナリング部２４は、伝送路１２からＥＳＴＡＢＬＩＳＨ  メッセージを受信するとアナログポート２６に対して端末１６に対する発呼があったことを通知する。アナログポート２６は、この通知に基づいて端末１６に供給する通話電流の極性を反転させ、逆極性にする。これにより、端末１６からの発呼が不可能となり、着信予約が成立する。アナログポート２６は、通話電流の極性を逆極性にすると、端末１６に対する着信予約が終了したことをＰＳＴＮシグナリング部２４へ通知する。
【００１９】
ＰＳＴＮシグナリング部２４は、この通知を受信すると所定の形式の確立確認（ＥＳＴＡＢＬＩＳＨ  ＡＣＫ）  メッセージを生成して、これを伝送路１２を介して構内交換機１０のＰＳＴＮシグナリング部２２へ送出する。ＰＳＴＮシグナリング部２２は、伝送路１２からＥＳＴＡＢＬＩＳＨ  ＡＣＫ  メッセージを受信すると、図２に示す構成の着信信号メッセージを生成し、その情報要素２０８  のタイプ（ｔｙｐｅ）と称される部分に着信音種別情報を設定する。ＰＳＴＮシグナリング部２２は、生成した着信信号メッセージを伝送路１２を介して端末側装置１４のＰＳＴＮシグナリング部２４へ転送する。
【００２０】
ＰＳＴＮシグナリング部２４は、伝送路１２から着信信号メッセージを受信すると、端末１６に対して着信信号を出力するようアナログポート２６に通知すると共に着信音種別情報を送出する。アナログポート２６は、音源部３０に対して、この着信音種別情報に対応して予め定められている着信音信号を端末１６へ出力するように指示する。音源部３０は、アナログポート２６の指示に従って該当する着信信号を端末１６へ出力し、端末１６は、この着信信号に従って着信音を鳴らす。これにより、ユーザーは、発信側端末の種別を識別することができる。たとえば、着信音により、相手が外部から電話しているのか、あるいは社内から電話しているのかを識別でき、外部の場合には応答後社名を告げ、社内の場合には応答後部署名および名前を告げることが可能となる。
【００２１】
上述の実施例では、ＰＳＴＮシグナリング部２２は、ＰＳＴＮシグナリング部２４から返送されてくるＥＳＴＡＢＬＩＳＨ−ＡＣＫ  メッセージを受信し、端末１６に対する着信予約が終了したことを確認してから、着信音種別情報を図２の着信信号メッセージに付加してＰＳＴＮシグナリング部２４へ転送していた。しかし、着信予約が必要ない場合には、ＥＳＴＡＢＬＩＳＨ  メッセージに着信音識別情報を付加することができる。なお、Ｖ５．２インタフェースでは、ＥＳＴＡＢＬＩＳＨ  メッセージに情報要素を１つだけ付加することが許されている。
【００２２】
この場合、構内交換機１０のＰＳＴＮシグナリング部２２は、呼制御部２０からダイヤル情報と着信音種別情報を受信すると、図４に示す着信音種別情報が付加されたＥＳＴＡＢＬＩＳＨ（Ｃａｄｅｎｃｅｄ−ｒｉｎｇｉｎｇ  ＩＥ）メッセージを生成する。このＥＳＴＡＢＬＩＳＨ（Ｃａｄｅｎｃｅｄ−ｒｉｎｇｉｎｇ  ＩＥ）メッセージは、図３に示すＥＳＴＡＢＬＩＳＨ  メッセージに情報要素４０６  を加えたものであって、プロトコル識別子４００  、レイヤ３アドレス４０２  、およびメッセージ種別４０４  は、それぞれ図３に示すＥＳＴＡＢＬＩＳＨ  メッセージのプロトコル識別子３００  、レイヤ３アドレス３０２  、およびメッセージ種別３０４  と同じものである。また、情報要素４０６  は、着信信号に関する情報であって、タイプと称される部分に送信側端末の種別を示す着信音種別情報が設定される。
【００２３】
ＰＳＴＮシグナリング部２２は、生成したＥＳＴＡＢＬＩＳＨ（Ｃａｄｅｎｃｅｄ−ｒｉｎｇｉｎｇ  ＩＥ）メッセージを伝送路１２を介して端末側装置１４のＰＳＴＮシグナリング部２４へ転送する。ＰＳＴＮシグナリング部２４は、伝送路１２からＥＳＴＡＢＬＩＳＨ（Ｃａｄｅｎｃｅｄ−ｒｉｎｇｉｎｇ  ＩＥ）メッセージを受信すると、端末１６に対する発呼があったことをアナログポート２６に対して通知すると共に、端末１６に対して着信信号を出力するよう通知し、着信音種別情報を送出する。アナログポート２６は、この通知に基づいて端末１６に供給する通話電流の極性を反転させ、逆極性にする。これにより、端末１６からの発呼が不可能となり、着信予約が成立する。
【００２４】
次いで、アナログポート２６は、音源部３０に対して、着信音種別情報に対応して予め定められている着信信号を端末１６へ出力するように指示する。音源部３０は、アナログポート２６の指示に従って該当する着信信号を端末１６へ出力し、端末１６は、この着信信号に従って着信音を鳴らす。これにより、ユーザーは、発信側端末の種別を識別することができる。
【００２５】
【発明の効果】
このように本発明によれば、交換機側では発信側端末の着信音種別情報をＶ５インタフェースのＰＳＴＮプロトコルで規定されている着信信号メッセージまたは確立メッセージに付加してＶ５インタフェースで接続されている遠隔地に在る端末側装置へ送出し、この端末側装置ではこの着信音種別情報により着信信号を生成して着信側端末へ送出しているので、遠隔地に在る着信側端末も着信音識別サービスを受けることができる。
【図面の簡単な説明】
【図１】本発明の着信音種別情報転送方法が適用された加入者系システムの一実施例の構成図である。
【図２】Ｖ５．２インタフェース（ＰＳＴＮ  Ｐｒｏｔｏｃｏｌ  ）による着信信号メッセージの構成図である。
【図３】Ｖ５．２インタフェース（ＰＳＴＮ  Ｐｒｏｔｏｃｏｌ  ）による確立メッセージの構成図である。
【図４】着信音識別情報を含む確立メッセージの構成図である。
【符号の説明】
１０  構内交換機
１２  伝送路
１４  端末側装置
１６、１８  端末
２０  呼制御部
２２、２４  ＰＳＴＮシグナリング部
２６、２８  アナログポート
３０  音源部
【図１】
0003619008.tif 000002
【図２】
0003619008.tif 000003
【図３】
0003619008.tif 000004
【図４】
0003619008.tif 000005